(57)【要約】【課題】マスクの機能を損なうことなく、市販されている口と鼻との両方を覆うタイプのマスクをそのまま利用して、化粧落ちや装着跡を気にすることなく使用でき、かつ呼吸や会話を円滑に行う。【解決手段】マスク本体２と、マスク本体２と顔面との間に介在させる補助スペーサ３とを有するマスク１において、補助スペーサ３は、使用者の鼻及び口の周囲を覆う環状をなし、外気を通さない不通気性の材料によって形成され、可撓性を有し、マスク本体２が顔面に装着されることによって顔面に密着される。【選択図】図１
2015019920.tif 000002
【特許請求の範囲】
【請求項１】
マスク本体と、上記マスク本体と顔面との間に介在させる補助スペーサとを有するマスクにおいて、
上記補助スペーサは、使用者の鼻及び口の周囲を覆う環状をなし、外気を通さない不通気性の材料によって形成され、可撓性を有し、上記マスク本体が顔面に装着されることによって顔面に密着されることを特徴とするマスク。
【請求項２】
上記マスク本体は、使用者の頭部側面側に引き出された、上記マスク本体を使用者の顔面に装着させる装着部材を有し、
上記装着部材は、上記補助スペーサを介在させることにより、使用者の顔面への圧着力が軽減されることを特徴とする請求項１記載のマスク。
【請求項３】
上記装着部材は、少なくとも一部が使用者の顔面から離間されていることを特徴とする請求項２記載のマスク。
【請求項４】
上記補助スペーサは、可撓性を有し、中空環状に形成され、気体又はジェル状充填剤が充填されていることを特徴とする請求項１〜３のいずれか１項に記載のマスク。
【請求項５】
上記補助スペーサは、上記マスク本体と着脱自在に取り付けられていることを特徴とする請求項１〜４のいずれか１項に記載のマスク。
【請求項６】
上記補助スペーサは、上記マスク本体と不可分に取り付けられていることを特徴とする請求項１〜４のいずれか１項に記載のマスク。
【請求項７】
マスク本体と顔面との間に介在させる補助スペーサにおいて、
使用者の鼻及び口の周囲を覆う環状をなし、外気を通さない不通気性の材料によって形成され、可撓性を有し、上記マスク本体が顔面に装着されることによって顔面に密着されることを特徴とする補助スペーサ。
【請求項８】
上記マスク本体は、使用者の頭部側面側に引き出された、上記マスク本体を使用者の顔面に装着させる装着部材を有し、
上記補助スペーサは、上記装着部材の使用者の顔面への圧着力を低減させ、又は上記装着部材の少なくとも一部を使用者の顔面から離間させる高さを有することを特徴とする請求項７記載の補助スペーサ。
【請求項９】
上記補助スペーサは、可撓性を有し、中空環状に形成され、気体又はジェル状充填剤が充填されていることを特徴とする請求項７又は請求項８に記載の補助スペーサ。
【請求項１０】
上記補助スペーサは、上記マスク本体と着脱自在とされていることを特徴とする請求項７〜９のいずれか１項に記載の補助スペーサ。
【発明の詳細な説明】
【技術分野】
【０００１】
本発明は、マスクの機能を損なうことなく、マスクの圧迫による息苦しさを防止する補助スペーサを備えたマスク及び当該補助スペーサに関する。
【背景技術】
【０００２】
従来より、鼻及び口の両方を覆うタイプのマスクが販売、使用されている。この種の従来のマスクは、矩形状の布からなるマスク本体の両側に、耳掛け用のゴム紐等の装着部材が付いているものが多く用いられている。また、従来のマスクは、ガーゼの密度を高めたり、絞りを設けることにより、ウイルスの感染を防いだり、粉塵や花粉の流入を防ぐ機能が高められている。
【先行技術文献】
【特許文献】
【０００３】
【特許文献１】特開２００２−７４８号公報
【特許文献２】特開２００７−９７９０４号公報
【発明の概要】
【発明が解決しようとする課題】
【０００４】
従来の口と鼻との両方を覆うタイプのマスクは、呼吸時にマスク本体の主面部が鼻又は口に張り付き、息苦しく、不快感を生じるという問題がある。また、従来のマスクは、マスク本体と口や鼻とが密接しているため、女性は口紅や化粧が取れてしまい、またマスク本体に付着するといった不都合がある。さらに、マスクをしたまま会話をすると、声がくぐもって聞き取りにくい。特に、顔面との密着性が高められ、隙間がほとんど設けられていないマスクを使用する場合に、呼吸や、化粧落ち、会話等に不都合が生じることが多い。
【０００５】
さらに、従来のマスクは、マスク本体の両側に取り付けられたゴム紐等が顔面に密着するため、マスクを外すと、顔面にゴム紐の跡が残ってしまい、これを気にする女性などには使用を躊躇させる要因となっていた。
【０００６】
そこで、本発明は、鼻の乾燥や、埃又は花粉等の流入を防ぐといったマスクの機能を損なうことなく、市販されている口と鼻との両方を覆うタイプのマスクをそのまま利用して、化粧落ちや装着跡を気にすることなく使用でき、かつ呼吸や会話を円滑に行うことを可能とするマスク、及び補助スペーサを提供することを目的とする。
【課題を解決するための手段】
【０００７】
上述した課題を解決するために、本発明に係るマスクは、マスク本体と、上記マスク本体と顔面との間に介在させる補助スペーサとを有するマスクにおいて、上記補助スペーサは、使用者の鼻及び口の周囲を覆う環状をなし、外気を通さない不通気性の材料によって形成され、可撓性を有し、上記マスク本体が顔面に装着されることによって顔面に密着されることを特徴とするものである。
【０００８】
また、本発明に係る補助スペーサは、マスク本体と顔面との間に介在させる補助スペーサにおいて、使用者の鼻及び口の周囲を覆う環状をなし、外気を通さない不通気性の材料によって形成され、可撓性を有し、上記マスク本体が顔面に装着されることによって顔面に密着されることを特徴とするものである。
【発明の効果】
【０００９】
本発明が適用されたマスクによれば、マスク本体と顔面との間に補助スペーサが介在されているため、マスク本体と使用者の鼻孔や口との間に空間が形成される。したがって、マスクによれば、呼吸によってマスク本体が鼻や口に張り付くことがなく、息苦しさがない。
【図面の簡単な説明】
【００１０】
【図１】本発明が適用されたマスクを示す平面図である。
【図２】マスク本体に補助スペーサを取り付ける斜視図である。
【図３】本発明が適用されたマスクを装着した状態を示す側面図である。
【図４】本発明が適用されたマスクを装着した状態を示す側面図である。
【図５】顔面の凹凸に応じて補助スペーサが変形している状態を示す斜視図である。
【図６】補助スペーサの形状を示す図であり、（Ａ）は真円、（Ｂ）は楕円、（Ｃ）は２つの湾曲部がくびれ部を介して連続する形状、（Ｄ）は４つの湾曲部がくびれ部を介して連続する形状を示す。
【図７】略矩形状の補助スペーサを示す図である。
【図８】略三角形状の補助スペーサを示す図である。
【図９】断面が真円状に形成された補助スペーサの一部を切断して示す図である。
【図１０】断面が楕円状に形成された補助スペーサの一部を切断して示す図である。
【発明を実施するための形態】
【００１１】
以下、本発明が適用されたマスク、及び補助スペーサについて、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１２】
本発明が適用されたマスク１は、図１、図２に示すように、マスク本体２と、マスク本体２と顔面との間に介在させる補助スペーサ３とを有する。
【００１３】
［マスク本体］
マスク本体２は、布帛や不織布、紙等の通気性の素材を用いてシート状に形成され、市販のマスクを用いることもできる。マスク本体２は、加工のしやすさや経済性の観点からは不織布を用いることが好まく、例えばメルトブローン不織布、スパンボンド不織布、エアスルー法によるサーマルボンド不織布、スパンレース不織布などの種々の不織布を用いることができる。これら種々の不織布を適宜組み合わせて、マスク本体２に所望の機能を付与することができる。また、マスク本体２は、使用者の顔面に装着されると、鼻及び口を覆うのに十分な大きさを有する。
【００１４】
また、マスク本体２は、使用者の顔面に装着される際に、使用者の頭部両側に向く両側面２ａに、装着用のゴム紐５が取り付けられている。あるいは、マスク本体２は、図３に示すように、使用者の頭部両側に向かって延びる帯状の耳かけ片部６をマスク本体２から連続して形成してもよい。その他、マスク本体２は、使用者の頭部又は耳に掛け回されてマスク本体２を使用者の顔面に装着させることができる各種装着部材を形成したものでもよい。
【００１５】
なお、マスク本体２は、適宜、プリーツ形状に折り込まれ、使用時に折り目を広げて略お椀型にするものでもよく、その他、複数のシートが積層されたものなど各種形状を有していてもよい。
【００１６】
［補助スペーサ］
補助スペーサ３は、マスク本体２と使用者の顔面との間に介在させることにより、マスク本体２と使用者の顔面との間に所定の間隙を形成するものである。補助スペーサ３は、使用者の鼻及び口の周囲を覆う環状をなし、図４に示すように、使用時には使用者の顔面の口元、頬、鼻にかけてあてがわれるとともに、開口部３ａより口及び鼻孔を臨ませる。そして、補助スペーサ３は、その上からマスク本体２が装着されることにより使用者の顔面に保持されるとともに、マスク本体２とも密着される。
【００１７】
また、補助スペーサ３は、外気を通さない不通気性の材料によって形成されている。補助スペーサ３は、例えばビニル樹脂やその他公知のプラスチックフィルムにより形成することができる。
【００１８】
このように、本発明が適用されたマスク１は、マスク本体２と顔面との間に補助スペーサ３が介在されているため、マスク本体２と使用者の鼻孔や口との間に空間が形成される。したがって、マスク１によれば、呼吸によってマスク本体２が鼻や口に張り付くことがなく、息苦しさがない。
【００１９】
また、マスク１は、補助スペーサ３によってマスク本体２と、口や口元、鼻やその周囲が離間されているため、口紅や化粧が取れ、またマスク本体２に付着するといった不都合もない。さらに、マスク１をしたままでも声がこもることなく、会話をしやすい。
【００２０】
［可撓性］
ここで、補助スペーサ３は、可撓性を有することが好ましい。可撓性を有することにより、補助スペーサ３は、マスク本体２によって顔面に装着されると、図５に示すように、顔面の凹凸に沿って変形し、密着する。これにより、補助スペーサ３は、マスク本体２の主面２ｂと使用者の顔面と密着され、ウイルス、花粉や埃などの微小粒子の吸入を効果的に阻止できる。
【００２１】
すなわち、マスク１は、補助スペーサ３をマスク本体２との間に介在させることにより、マスク本体２の外縁部は使用者の顔面への密着性が低減、あるいは顔面から離間される。そして、マスク１においては、補助スペーサ３の開口部３ａに臨まされている鼻や口は、顔面に密着している不通気性の補助スペーサ３、及び補助スペーサ３に密着している通気性のマスク本体２の主面２ｂによって覆われる。これにより、マスク１は、マスク本体２の主面２ｂから空気の吸入が確保されるとともに、マスク本体２の主面２ｂ及び補助スペーサ３によってウイルス、花粉や埃などの微小粒子の吸入を効果的に阻止できる。
【００２２】
また、マスク１は、可撓性を有する補助スペーサ３が顔面に密着することにより、鼻の両側から呼気が漏れることもなく、メガネが曇ることも防止できる。
【００２３】
また、マスク１は、マスク本体２の外縁部の顔面への密着性が低減、あるいは使用者の顔面から離間することにより、マスク本体２のゴム紐５や耳かけ片部６等の装着部材の、使用者の顔面への圧着力が軽減される。したがって、マスク１は、使用後に顔面に残る装着部材の跡を薄くし、短時間で消失させることができる。あるいは、マスク１は、装着部材の一部又は全部を顔面から離間させることにより、使用後においても顔面に装着部材の跡をつけないようにすることができる。従来のマスクでは、マスク本体２の外縁部が顔面に圧着されることから、外縁部に取り付けられているゴム紐も顔面に圧着され、顔の正面から見える目立つ位置において、ゴム紐等の装着部材の跡が残りやすかった。しかし、マスク１では、マスク本体２の外縁部の密着性が低減、あるいは顔面から離間しているため、顔の正面から見える目立つ位置において、効果的に装着部材の跡を残さないようにすることができる。また、これにより、装着部材の圧着による化粧の崩れも防止することができる。
【００２４】
また、補助スペーサ３は、表面を不織布又は布帛で被覆させることが好ましい。補助スペーサ３は、直接顔面に触れるものであるため、不織布や布帛で被覆することにより、通気性を確保し、汗の吸収や顔面に跡が残りにくい等の効果があり、装着感を向上させることができる。また、補助スペーサ３は、表面を不織布や布帛で被覆することにより、顔面への密着性を備えることができる。
【００２５】
したがって、補助スペーサ３は、少なくとも、使用者の顔面に触れる側は、不織布や布帛で被覆されていることが好ましい。また、補助スペーサ３は、表面を不織布又は布帛で被覆させることにより、ウイルス、花粉や埃などの微小粒子の吸入を効果的に阻止できる。
【００２６】
なお、補助スペーサの表面を被覆する不織布又は布帛は、ナイロン等の合成繊維のカバーが積層されてもよい。これにより、強度の向上を図り、また抗菌処理を施せば衛生的に使用することができる。
【００２７】
このような補助スペーサ３は、可撓性を有するとともに中空環状に形成され、気体を充填することにより形成することができる。例えば、補助スペーサ３は、ビニル樹脂等の可撓性を有する材料によって、浮き輪のごとく中空環状に形成され、空気が充填されることにより形成される。
【００２８】
これにより、補助スペーサ３は、マスク本体２によって顔面に装着されると、顔面の凹凸に沿って変形し、密着され、ウイルス、花粉や埃などの微小粒子の吸入を効果的に阻止するとともに、鼻の両側から呼気が排出されることを防止してメガネの曇りを防止することができる。
【００２９】
このとき、補助スペーサ３には、内部容量よりも少ない量の気体を充填してもよい。内部容量よりも若干少ない量の気体を充填することにより、補助スペーサ３は、変形が容易となり、より顔面への密着性を向上することができる。
【００３０】
［バルブ部］
また、補助スペーサ３は、当該気体の内部への注入及び排気が可能なバルブを形成してもよい。バルブは、特に限定はなく、例えば、浮き輪や自転車のチューブ等で用いられているような公知の各種バルブを用いることができる。
【００３１】
バルブを備えることにより、補助スペーサ３は、使用者の顔面形状に応じて気体の充填量を調整することができ、顔面への密着性を向上させることができる。また、補助スペーサ３は、顔面からの高さを調整することにより、マスク本体２の外縁部に設けられたゴム紐５や耳かけ片部６等の装着部材の圧着力を軽減させ、あるいは装着部材が顔面から離間するように調整することができる。
【００３２】
なお、補助スペーサ３は、可撓性を有するとともに中空環状に形成され、内部にジェルを充填させることにより形成してもよい。例えば、補助スペーサ３は、ビニル樹脂等の可撓性を有する材料によって、浮き輪のごとく中空環状に形成され、内部に公知のジェル状体が充填される。これによっても、補助スペーサ３は、マスク本体２によって顔面に装着されると、顔面の凹凸に沿って変形し、密着され、ウイルス、花粉や埃などの微小粒子の吸入を効果的に阻止するとともに、鼻の両側から呼気が排出されることを防止してメガネの曇りを防止することができる。
【００３３】
また、補助スペーサ３は、内部容量よりも少ない量のジェルを充填してもよい。内部容量よりも若干少ない量のジェルを充填することにより、補助スペーサ３は、変形が容易となり、より顔面への密着性を向上することができる。
【００３４】
また、補助スペーサ３は、環状に形成されたスポンジが不通気性の材料によって被覆されることにより形成してもよい。例えば、補助スペーサ３は、環状のスポンジがビニル樹脂によって被覆されることにより形成される。これによっても、補助スペーサ３は、マスク本体２によって顔面に装着されると、顔面の凹凸に沿って変形し、密着され、ウイルス、花粉や埃などの微小粒子の吸入を効果的に阻止するとともに、鼻の両側から呼気が排出されることを防止してメガネの曇りを防止することができる。
【００３５】
なお、補助スペーサ３は、上述した可撓性を有する材料によって中空環状に形成するとともに内部に気体を充填させることにより形成する場合には、圧力が全体にわたって均等に分散し、少ない押圧力で容易に変形させることができ、有利である。一方、スポンジによって形成した場合、圧力は分散せずに押圧した箇所のみ変形するため、補助スペーサ３全体にわたって顔面に密着させるためには、期待を充填した場合に比して大きな押圧力が必要となる。
【００３６】
［補助スペーサ形状］
ここで、補助スペーサ３は、平面視円形状に形成されることが好ましい。円形状に形成されることにより、補助スペーサ３は、顔面の凹凸に沿って変形すると、圧力が全体にわたって均等に分散し、また形状を安定的に保持するとともに、耐久性や装着感を向上させることができる。
【００３７】
なお、ここでいう円形には、図６に示すように、真円形状（Ａ）、楕円形状（Ｂ）、数字「８」の輪郭のごとく２つの湾曲部がくびれ部を介して連続する形状（Ｃ）、または４つの湾曲部がくびれ部を介して連続する形状（Ｄ）等も含む。
【００３８】
また、補助スペーサ３は、図７に示すように、矩形状に形成してもよい。矩形状に形成されることにより、補助スペーサ３は、マスク本体２の形状と略相似形状となり、マスク本体２との密着性を向上させることができる。
【００３９】
また、補助スペーサ３は、図８に示すように、三角形状に形成してもよい。三角形状に形成されることにより、補助スペーサ３は、鼻から口元にわたる顔面形状と略相似形状となり、顔面との密着性を向上させることができる。
【００４０】
［断面形状］
また、補助スペーサ３は、図９に示すように、断面円形状に形成することが好ましい。断面を円形状とすることにより、補助スペーサ３は、内部の圧力が均等に分散し、形状を安定的に保持するとともに、耐久性や装着感を向上させることができる。
【００４１】
また、補助スペーサ３は、図１０に示すように、断面を楕円形状に形成してもよい。断面を楕円形状とする場合、曲率の小さい湾曲面３ｂを顔面及びマスク本体２との密着面とするよう形成することが好ましい。これにより、補助スペーサ３は、顔面及びマスク本体２との密着性や装着感を向上させることができる。
【００４２】
［着脱／一体］
また、補助スペーサ３とマスク本体２とは、着脱自在に取り付けられるようにしてもよい。例えば、補助スペーサ３及びマスク本体２は、たがいの密着面に、面ファスナーが形成され、着脱自在とすることができる。これにより、マスク１は、マスク本体２又は補助スペーサ３のいずれか一方が使い捨ての場合に、他方を使い回すことができ、経済的である。
【００４３】
あるいは、補助スペーサ３とマスク本体２とは、予め一体不可分に取り付けられるようしてもよい。補助スペーサ３とマスク本体２との取り付けは、縫い合わせや、接着、溶接等、任意の方法により行うことができる。マスク１は、補助スペーサ３とマスク本体２とを一体不可分に取り付けることにより、これらの密着性や耐久性を高め、補助スペーサ３とマスク本体２との間からのウイルス、花粉や埃などの微小粒子の吸入を効果的に阻止することができる。
【００４４】
［その他］
なお、補助スペーサ３は、マスク本体２が装着される際の圧着力で顔面に装着、保持される他、独自に装着部材を備えていてもよい。装着部材としては、マスク本体２と同様に、ゴム紐や耳かけ片、バンドや面ファスナー等、使用者の頭部又は耳に掛け回されて装着させる公知の方法を用いることができる。これにより、補助スペーサ３は、マスク本体２とは別々に、単独で装着感を調整することができる。
【符号の説明】
【００４５】
１  マスク、２  マスク本体、３  補助スペーサ、５  ゴム紐、６  耳かけ片部
【図１】
2015019920.tif 000003
【図２】
2015019920.tif 000004
【図３】
2015019920.tif 000005
【図４】
2015019920.tif 000006
【図５】
2015019920.tif 000007
【図６】
2015019920.tif 000008
【図７】
2015019920.tif 000009
【図８】
2015019920.tif 000010
【図９】
2015019920.tif 000011
【図１０】
2015019920.tif 000012